【手続補正書】
【提出日】平成19年10月4日(2007.10.4)
【手続補正１】
【補正対象書類名】明細書
【補正対象項目名】特許請求の範囲
【補正方法】変更
【補正の内容】
【特許請求の範囲】
【請求項１】
呼吸気体を、その源からレシピエントへ運搬するためのレギュレータ・モジュール・アセンブリであって、該レギュレータ・モジュール・アセンブリは、
延在したハウジングであって、該ハウジングを通って延びる穴を有しており、該穴は、呼吸気体源に対する該穴の接続を容易にできるよう構成された穴入口と、レシピエントへの前記呼吸気体の供給を容易にできるよう構成された穴出口とを有してなり、前記呼吸気体源の圧力の監視を容易にできるよう前記穴と連通された通路を有するハウジングと、
前記ハウジングの前記穴に受け入れられ、前記呼吸気体源から前記レシピエントへ前記呼吸気体を供給するための延在した気体流れ経路を規定する、延在した挿入手段と、を備え、
前記挿入手段は、前記ハウジングの前記通路と流体的な連通をするポートを有し、前記挿入手段の該ポートは、
前記ハウジングの前記通路から軸方向に離れて配置されることと、
前記ハウジングの前記通路から半径方向に離れて配置されることとのうち少なくとも一方の構成を有していることを特徴とする、レギュレータ・モジュール・アセンブリ。
【請求項２】
前記穴の内側に向いた面と前記挿入手段の外側を向いた面とで環状部を規定し、該環状部は、前記ハウジングの前記通路と前記挿入手段の前記ポートとを連結する中間領域であることを特徴とする、請求項１に記載のレギュレータ・モジュール・アセンブリ。
【請求項３】
前記通路から前記挿入手段の気体流れ経路に汚染物質が侵入する可能性を最小限にするため、前記環状部は、前記挿入手段の前記ポートと前記ハウジングの前記通路との間に遠回りの流路を規定することを特徴とする、請求項１または２に記載のレギュレータ・モジュール・アセンブリ。
【請求項４】
前記ハウジングは、前記呼吸気体源のバルブを収容できる大きさのヨーク部を含み、該ヨーク部は、該ヨーク部内にネジ込み式で受け入れられる回転可能なハンドルを保持し、該回転可能なハンドルの操作により、前記呼吸気体源から前記レシピエントへの前記呼吸気体の流れを制御するための、前記呼吸気体源の前記バルブの作動が制御されることを特徴とする、請求項１〜３のいずれかに記載のレギュレータ・モジュール・アセンブリ。
【請求項５】
前記通路の離れた端部はソケットと連通し、該ソケットには、前記レギュレータ・モジュール・アセンブリの作動時に前記挿入手段の前記気体流れ経路を流れる、前記呼吸気体源の圧力を示す圧力計が接続されたことを特徴とする、請求項１〜４のいずれかに記載のレギュレータ・モジュール・アセンブリ。
【請求項６】
前記挿入手段は前記ハウジングの前記穴にしっかりと保持され、前記挿入手段の一端は、前記呼吸気体供給のバルブに対する直径密閉界面を付与することを特徴とする、請求項１〜５のいずれかに記載のレギュレータ・モジュール・アセンブリ。
【請求項７】
前記気体流れ経路は、前記挿入手段と中心軸で一致し、前記挿入手段の外周面は、前記気体流れ経路を、前記ハウジングの前記通路との直接の連通から分離したことを特徴とする、請求項１〜６のいずれかに記載のレギュレータ・モジュール・アセンブリ。
【請求項８】
フィルタが、前記挿入手段内に収容されて、前記気体流れ経路内に配置され、該フィルタが、焼結青銅及びステンレス鋼のうちの一方で作られたことを特徴とする、請求項１〜７のいずれかに記載のレギュレータ・モジュール・アセンブリ。
【請求項９】
前記挿入手段が、第１及び第２の分離された部分を備え、該第１及び第２の分離された部分は、前記ハウジングの前記穴に収容された際に、相互に間隙を置いて配置され、該間隙は、前記ハウジングの前記通路と前記挿入手段の前記ポートと間の連通が容易にできるようにし、前記挿入手段の前記経路と前記ハウジングの前記通路との間に遠回りの流路を規定して、前記通路から前記挿入手段の前記気体流れ経路に汚染物質が侵入する可能性を最小限にしたことを特徴とする、請求項１〜８のいずれかに記載のレギュレータ・モジュール・アセンブリ。
【請求項１０】
前記ポートは、前記挿入手段の中間領域に配置され、前記ポートは、前記ハウジングの前記通路と前記挿入手段によって規定された前記気体流れ経路との連通を容易にできるようにすることを特徴とする、請求項１〜９のいずれかに記載のレギュレータ・モジュール・アセンブリ。
【請求項１１】
呼吸気体を、その源からレシピエントへ運搬するためのレギュレータ・モジュール・アセンブリであって、該レギュレータ・モジュール・アセンブリは、
延在したハウジングであって、該ハウジングを通って延びる穴を有しており、該穴は、呼吸気体源に対する該穴の接続を容易にできるよう構成された穴入口と、レシピエントへの前記呼吸気体の供給を容易にできるよう構成された穴出口とを有してなり、前記呼吸気体源の圧力の監視を容易にできるよう前記穴と連通された通路を有するハウジングと、
前記ハウジングの前記穴に受け入れられ、前記呼吸気体源から前記レシピエントへ前記呼吸気体を供給するための延在した気体流れ経路を規定する、延在した挿入手段と、を備え、
前記挿入手段は、前記ハウジングの前記通路と流体的な連通をするポートを有し、前記挿入手段の該ポートは、
前記ハウジングの前記通路から軸方向に離れて配置されることと、
前記ハウジングの前記通路から半径方向に離れて配置されることとのうち少なくとも一方の構成を有しており、
前記穴の内側に向いた面と前記挿入手段の外側を向いた面とで環状部を規定し、該環状部は、前記ハウジングの前記通路と前記挿入手段の前記ポートとを連結する中間領域であり、
該環状部は前記挿入手段の前記経路と前記ハウジングの前記通路との間に遠回りの流路を規定して、前記通路から前記挿入手段の前記気体流れ経路に汚染物質が侵入する可能性を最小限にし、
前記気体流れ経路は、前記挿入手段と中心軸で一致し、前記挿入手段の外周面は、前記気体流れ経路を、前記ハウジングの前記通路との直接の連通から分離したことを特徴とする、レギュレータ・モジュール・アセンブリ。
【請求項１２】
呼吸気体を、その源からレシピエントへ調節して運搬する方法であって、
延在したハウジングであって、該ハウジングを通って延びる穴を有しており、該穴は、呼吸気体源に対する該穴の接続を容易にできるよう構成された穴入口と、レシピエントへの前記呼吸気体の供給を容易にできるよう構成された穴出口とを有してなる、ハウジングを形成すると共に、前記穴を通って流れる前記呼吸気体源の圧力の監視を容易にできるよう前記穴と連通された通路を前記ハウジング内に形成するステップと、
前記ハウジングの前記穴に、延在した挿入手段を配置すると共に、該挿入手段によって、前記呼吸気体源から前記レシピエントへ前記呼吸気体を供給するための延在した気体流れ経路を規定させるステップと、
前記挿入手段に前記ハウジングの前記通路と連通するポートを形成するステップと、
前記挿入手段のポートから前記ハウジングの前記通路を軸方向に離して配置することと、前記挿入手段のポートから前記ハウジングの前記通路を半径方向に離して配置することとのうち少なくとも一方を行うことで、前記挿入手段の前記ポートと前記ハウジングの前記通路との間に遠回りの経路を規定するステップと、
を備えたことを特徴とする方法。
【請求項１３】
前記穴の内側に向いた面と前記挿入手段の外側を向いた面との間に環状部を規定し、該環状部を介して、前記ハウジングの前記通路を前記挿入手段の前記ポートに連結するステップと、
前記通路の離れた端部にソケットを形成すると共に、該ソケットに、前記レギュレータ・モジュール・アセンブリの作動時に前記挿入手段の前記気体流れ経路を流れる、前記呼吸気体源の圧力を示す圧力計を接続するステップと、
前記ハウジングの前記穴に前記挿入手段をしっかりと保持させると共に、前記挿入手段の一端に、前記呼吸気体供給のバルブに対する直径密閉界面を形成するステップと、
前記気体流れ経路を前記挿入手段と中心軸で一致するよう延在させると共に、前記ハウジングの前記通路との直接の連通から前記気体流れ経路を分離するよう前記挿入手段の外周面を延在させるステップと、
のうち１つ或いはそれ以上のステップを備えたことを特徴とする請求項１２に記載の方法。